【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
デジタルシステム内に記憶されたソート可能なアイテムの集合をブラウジングするブラウジング装置の制御方法であって、
提供手段が、各グループ化階層がソート順序を備え、少なくとも１つのグループ化階層が、前記アイテムと関連付け可能なグループを形成する少なくとも１つのグループ化レベルを備える複数のグループ化階層を提供する工程と、
設定手段が、前記集合内の１つのアイテムがフォーカスアイテムとなるように設定し、それによって現在のグループ化階層における現在のフォーカスグループを確立する工程と、
維持手段が、前記複数のグループ化階層の内の１つから新しいグループ化階層が選択されたときも、前記フォーカスアイテムを維持する工程と
を含むことを特徴とするブラウジング装置の制御方法。
【請求項２】
表示手段が、前記フォーカスアイテムと関連付けられた少なくとも前記新しいグループ化階層を組み込んでいる集合の少なくとも一部の表現を表示させる工程をさらに含むことを特徴とする請求項１に記載のブラウジング装置の制御方法。
【請求項３】
前記維持手段が、対応するグループ化階層内の１つの前記グループ化レベルと、別のグループ化レベルとの間の変更が行われたときも、前記フォーカスアイテムを維持する工程をさらに含むことを特徴とする請求項１または２のいずれかに記載のブラウジング装置の制御方法。
【請求項４】
前記グループ化階層のグループ化レベルはそれぞれ、順序マッピングスキームと、大きさマッピングスキームと、エイリアス化マッピングスキームとの少なくとも１つに従って互いに関連付けられることを特徴とする請求項１に記載のブラウジング装置の制御方法。
【請求項５】
前記維持手段が、異なるグループ化階層が選択され、またはグループ化レベルが変更されたときも、前記フォーカスアイテムまたは前記フォーカスグループの表示位置を維持する工程をさらに含むことを特徴とする請求項３に記載のブラウジング装置の制御方法。
【請求項６】
選択手段が、少なくとも１つの前記グループの代表アイテムとなるアイテムを１つの前記グループの内から選択する工程をさらに含むことを特徴とする請求項１に記載のブラウジング装置の制御方法。
【請求項７】
前記表示手段が、前記集合のアイテムを、スタック構成の形で表示画面上に表示させる工程をさらに含むことを特徴とする請求項２に記載のブラウジング装置の制御方法。
【請求項８】
前記アイテムは、リスト構成の形で表示されることを特徴とする請求項２に記載のブラウジング装置の制御方法。
【請求項９】
複数のグループ化レベルは、同時に示されることを特徴とする請求項１に記載のブラウジング装置の制御方法。
【請求項１０】
垂直方向に配置されるリングと水平方向に配置されるリングとを有するグラフィックメニューを表示するグラフィックメニュー表示装置であって、
前記リングのそれぞれは、複数の選択可能なメニューアイテムを備え、
それぞれの前記リング内のメニューアイテムのうち、１つが選択された場合、選択された前記メニューアイテムは、前記リングのそれぞれに対して視覚的に優位な表示状態とする選択表示手段と、
前記水平方向のリングは、前記垂直方向のリングの内から選択されたメニューアイテムが前記水平方向のリングによって覆い隠されないように、前記垂直方向のリングの中心軸からずらされた平面に提示する手段と
を有することを特徴とするグラフィックメニュー表示装置。
【請求項１１】
前記水平方向のリングは、前記垂直方向のリング上で選択された前記メニューアイテムと、選択された前記メニューアイテムの上にある少なくとも１つのメニューアイテムと、選択された前記メニューアイテムの下にある少なくとも１つのメニューアイテムとが、前記水平方向のリングによって覆い隠されないように、前記垂直方向のリングの前記中心軸からずらされた平面内に配置されることを特徴とする請求項１０に記載のグラフィックメニュー表示装置。
【請求項１２】
前記水平または垂直方向のリング上に示される前記メニューアイテムは、それぞれのリング上で選択された前記メニューアイテムに依存することを特徴とする請求項１０に記載のグラフィックメニュー表示装置。
【請求項１３】
前記メニューアイテムは、それぞれの前記リング毎に、グループ化階層と、前記メニューを介してアクセス可能であるソート可能なデータアイテムの集合に関するソート順序とを備えることを特徴とする請求項１０に記載のグラフィックメニュー表示装置。
【請求項１４】
デジタルシステム内に記憶されたアイテムの集合を表示させる表示装置の制御方法であって、
配置手段が、前記アイテムと関連付け可能な複数のソート順序の内の１つのソート順序に従ってソートされたリスト内に、前記アイテムを配置する配置工程と、
提供手段が、各グループ化階層が前記ソート順序の内の１つに対応し、前記各グループ化階層における各レベルが、それ以外の前記各グループ化階層それぞれの少なくとも１つのレベルと関連付けることが可能である複数のグループ化階層を提供する提供工程と、
表示手段が、表現されるアイテムの前記１つのソート順序と、それに対応する１つグループ化階層とに基づいて、前記集合の少なくとも一部を表示させる表示工程と
を含むことを特徴とする表示装置の制御方法。
【請求項１５】
前記表示工程では、さらに、前記ソート順序の識別子と、少なくとも１つの対応する前記グループの識別子とを表示させることを特徴とする請求項１４に記載の表示装置の制御方法。
【請求項１６】
特定手段が、１つの前記アイテムを前記リスト内のフォーカスアイテムとして特定する特定工程と、
検出手段が、異なるグループ化階層の選択を検出する検出工程と、
繰り返し手段が、前記フォーカスアイテムが維持されるように前記表示工程を繰り返す繰り返し工程と
をさらに含むことを特徴とする請求項１４に記載の表示装置の制御方法。
【請求項１７】
前記表示工程は、前記特定工程と前記検出工程との間に前記フォーカスアイテムの表示位置が維持されるように、前記フォーカスアイテムを表示位置に表示させる工程を含むことを特徴とする請求項１６に記載の表示装置の制御方法。
【請求項１８】
前記フォーカスアイテムが所在するグループ化階層は、前記特定工程と検出工程との間に前記フォーカスグループの前記表示位置が維持されるような前記フォーカスグループであることを特徴とする請求項１７に記載の表示装置の制御方法。
【請求項１９】
再順序付け手段が、前記複数のソート順序の内の異なるソート順序の選択を検出し、前記異なるソート順序に対応する異なるグループ化階層が特定されたときは、前記異なるソート順序に従って前記リスト内の前記アイテムを再順序付けする再順序付け工程をさらに含むことを特徴とする請求項１７に記載の表示装置の制御方法。
【請求項２０】
トラバース手段が、前記表示位置の関連するアイテムが前記フォーカスアイテムとして特定されるように前記集合をトラバースする工程をさらに含むことを特徴とする請求項１７に記載の表示装置の制御方法。
【請求項２１】
前記特定工程における異なるグループ化階層の前記選択は、前記トラバース中に発生することを特徴とする請求項１７に記載の表示装置の制御方法。
【請求項２２】
ソート済みリストとして配置される複数のデータアイテムと、前記アイテムのそれぞれと関連付け可能な複数のデータ属性とを備え、階層内のあるグループ化レベルとそれぞれ関連付け可能である前記属性に対応する中間ノードと、前記アイテムに対応するリーフノードとを有する、データの階層表現をトラバースするブラウジング装置の制御方法であって、
トラバース手段が、１つのレベルの１つの前記ノードから前記１つのレベルの隣接する別のノードへと直接トラバースする工程
を含むことを特徴とするブラウジング装置の制御方法。
【請求項２３】
前記トラバース手段が、１つの前記レベルの１つの前記ノードから前記レベルに隣接するレベルの隣接ノードへとトラバースする工程をさらに含むことを特徴とする請求項２２に記載のブラウジング装置の制御方法。
【請求項２４】
データアイテムの集合を表示可能な表示装置であって、
前記データアイテムと関連付けられたリストを第１の表示領域に表示する第１の表示手段と、
前記データアイテムの内のフォーカスデータアイテムに関する少なくとも属性を第２の表示領域に表示する第２の表示手段と、
前記データアイテムの前記属性に関する選択可能なソート順序と、前記ソート順序に関するグループ化とを少なくとも１つの第３の表示領域に表示する第３の表示手段と、
前記第１の表示領域内の前記リストに関する少なくとも表現を変更するために、前記ソート順序または前記グループの内の１つを選択可能にする、ユーザ操作可能な選択装置と
を備えることを特徴とする表示装置。
【請求項２５】
前記ソート順序とグループとのトラバース中に別のフォーカスデータアイテムが特定されるまで、前記フォーカスデータアイテムの追跡を維持する追跡装置をさらに備えることを特徴とする請求項２４に記載の表示装置。
【請求項２６】
前記第１の表示領域は、前記表示位置と関連付けられるデータアイテムが前記フォーカスデータアイテムとなるような指定の表示位置を有することを特徴とする請求項２５に記載の表示装置。
【請求項２７】
デジタルシステム内に記憶されたソート可能なアイテムの集合をブラウジング可能なブラウジング装置であって、
各グループ化階層がソート順序を備え、少なくとも１つのグループ化階層が、前記アイテムと関連付け可能なグループを形成する少なくとも１つのグループ化レベルを備える複数のグループ化階層を提供する手段と、
前記集合内の１つのアイテムがフォーカスアイテムとなるように設定し、それによって現在のグループ化階層における現在のフォーカスグループを確立する手段と、
前記複数のグループ化階層の内の１つから新しいグループ化階層が選択されたときも、前記フォーカスアイテムを維持する手段と
を含むことを特徴とするブラウジング装置。
【請求項２８】
垂直方向に配置されるリングと、水平方向に配置されるリングとを表示するグラフィックメニュー表示装置の制御方法であって、
前記リングのそれぞれは、複数の選択可能なメニューアイテムを備え、それぞれの前記リング内のメニューアイテムの内、１つが選択された場合、選択された前記メニューアイテムは、前記リングのそれぞれに対して視覚的に優位な表示状態とし、
前記水平方向のリングは、前記垂直方向のリングの内から選択されたメニューアイテムが前記水平方向のリングによって覆い隠されないように、前記垂直方向のリングの中心軸からずらされた平面に提示する
ことを特徴とするグラフィックメニュー表示装置の制御方法。
【請求項２９】
コンピュータに、請求項１乃至９ならびに請求項１４乃至２３の、いずれか１項に記載の方法の各工程を実行させるためのコンピュータプログラム。